(57)【要約】【課題】パイプを挿入するだけで接続が完了する管継手のように、キャップやプラグを使用することができない管継手の配管接続口でも簡単な操作で確実に閉塞することができる管継手用キャップを提供する。【解決手段】配管接続口５１の外周に大径円筒面５２を有する管継手５３の配管接続口を閉塞するためのキャップであって、大径円筒面を挿入可能な内径を有する有底円筒状のキャップ本体１２と、キャップ本体の内周に装着されて大径円筒面に密接するリング状パッキン１４と、キャップ本体の開口側で大径円筒面の基端部に対応する位置のキャップ本体周壁に設けられたスリット１５と、スリットに挿入されて大径円筒面の基端部５２ａに係合することによりキャップ本体を配管接続口の閉塞位置に保持する係合片１８を備えた抜け止め具１３とを有している。【選択図】    図１
2004211872.tif 000002
【特許請求の範囲】
【請求項１】
配管接続口の外周に大径円筒面を有する管継手の前記配管接続口を閉塞するためのキャップであって、前記大径円筒面を挿入可能な内径を有する有底円筒状のキャップ本体と、該キャップ本体の内周に装着されて前記大径円筒面に密接するリング状パッキンと、キャップ本体の開口側で前記大径円筒面の基端部に対応する位置のキャップ本体周壁に設けられたスリットと、該スリットに挿入されて前記大径円筒面の基端部に係合することによりキャップ本体を配管接続口の閉塞位置に保持する係合片を備えた抜け止め具とを有することを特徴とする管継手用キャップ。
【請求項２】
前記スリットは、２本のスリットがキャップ本体周壁の対向位置にそれぞれ設けられ、前記抜け止め具は、２本のスリットにそれぞれ挿入される一対の係合片を備えていることを特徴とする請求項１記載の管継手用キャップ。
【請求項３】
前記キャップ本体は、前記スリットが設けられていない外面部分に転動防止用の平面部が設けられていることを特徴とする請求項１記載の管継手用キャップ。
【請求項４】
配管接続口の外周に大径部を有する管継手の前記配管接続口を閉塞するためのキャップであって、前記大径部を挿入可能な内径を有する有底筒状のキャップ本体と、該キャップ本体の底面から突出して前記配管接続口内に挿入される封止突起と、該封止突起の外周に装着されて配管接続口内面に密接するリング状パッキンと、キャップ本体の開口側で前記大径部の基端部に対応する位置のキャップ本体周壁に設けられたスリットと、該スリットに挿入されて前記大径部の基端部に係合することによりキャップ本体を配管接続口の閉塞位置に保持する係合片を備えた抜け止め具とを有することを特徴とする管継手用キャップ。
【発明の詳細な説明】
【０００１】
【発明の属する技術分野】
本発明は、管継手用キャップに関し、特に、配管接続口にパイプを挿入するだけで接続が完了する接続構造を備えた管継手の配管接続口を一時的に閉塞する際に使用するキャップの構造に関する。
【０００２】
【従来の技術】
合成樹脂製パイプを接続するための管継手として、配管接続口にパイプを挿入するだけで接続が完了する接続構造を備えた管継手が知られている（例えば、特許文献１参照。）。この管継手は、配管接続口の奥部にパイプ抜け止め用のロックリングを設けたものであって、配管接続口にパイプを挿入すると、このロックリングの作用によってパイプが強固に接合された状態になるように形成されている。
【０００３】
一方、屋内配管の設置工事において、パイプと管継手とを所定の状態で接続した状態の配管ユニットをあらかじめ工場で製作しておき、建築現場でこの配管ユニットを所定の位置に敷設するとともに、配管ユニットの途中に設けた分岐継手に現場に対応したパイプを接続するようにした工法が提案されている（例えば、特許文献２参照。）。
【０００４】
【特許文献１】
特開２００２−２５７２７３号公報
【０００５】
【特許文献２】
特許第３０３５３９９号公報
【０００６】
【発明が解決しようとする課題】
前述のような配管ユニットは、工場で配管ユニットを製作した後に水漏れ検査を行い、パイプと管継手との接続状態を確認するようにしている。この水漏れ検査において、配管ユニット中の管継手として一般的なネジ接続のものを使用したときには、パイプが接続されていない配管接続口にねじこみ式のキャップやプラグを装着して閉塞状態とすることにより、所定の水漏れ検査を行うことができ、水漏れ検査終了後には、キャップやプラグを配管接続口から取り外すことによって所定のパイプを接続することができる。
【０００７】
しかし、前述のようなパイプを挿入するだけで接続が完了する管継手を使用した場合は、配管接続口にキャップやプラグを装着することができず、パイプ等を挿入すると抜けなくなってしまうので、今までの方法では配管ユニットの水漏れ検査を行うことができなかった。
【０００８】
そこで本発明は、パイプを挿入するだけで接続が完了する管継手のように、キャップやプラグを使用することができない管継手の配管接続口でも簡単な操作で確実に閉塞することができる管継手用キャップを提供することを目的としている。
【０００９】
【課題を解決するための手段】
上記目的を達成するため、本発明の管継手用キャップは、配管接続口の外周に大径円筒面を有する管継手の前記配管接続口を閉塞するためのキャップであって、前記大径円筒面を挿入可能な内径を有する有底円筒状のキャップ本体と、該キャップ本体の内周に装着されて前記大径円筒面に密接するリング状パッキンと、キャップ本体の開口側で前記大径円筒面の基端部に対応する位置のキャップ本体周壁に設けられたスリットと、該スリットに挿入されて前記大径円筒面の基端部に係合することによりキャップ本体を配管接続口の閉塞位置に保持する係合片を備えた抜け止め具とを有することを特徴としている。
【００１０】
さらに、前記スリットは、２本のスリットがキャップ本体周壁の対向位置にそれぞれ設けられ、前記抜け止め具は、２本のスリットにそれぞれ挿入される一対の係合片を備えていることを特徴とし、前記キャップ本体は、前記スリットが設けられていない外面部分に転動防止用の平面部が設けられていることを特徴としている。
【００１１】
また、本発明の管継手用キャップは、別の態様として、配管接続口の外周に大径部を有する管継手の前記配管接続口を閉塞するためのキャップであって、前記大径部を挿入可能な内径を有する有底筒状のキャップ本体と、該キャップ本体の底面から突出して前記配管接続口内に挿入される封止突起と、該封止突起の外周に装着されて配管接続口内面に密接するリング状パッキンと、キャップ本体の開口側で前記大径部の基端部に対応する位置のキャップ本体周壁に設けられたスリットと、該スリットに挿入されて前記大径部の基端部に係合することによりキャップ本体を配管接続口の閉塞位置に保持する係合片を備えた抜け止め具とを有することを特徴としている。
【００１２】
【発明の実施の形態】
図１乃至図６は、本発明の管継手用キャップの一形態例を示すもので、図１は管継手用キャップを管継手に装着した状態を示す一部断面正面図、図２は断面平面図、図３は管継手用キャップにおけるキャップ本体及び抜け止め具と管継手との関係を示す側面図、図４は抜け止め具を挿入する前の状態を示す一部断面斜視図、図５は抜け止め具を挿入した状態を示す一部断面斜視図、図６は抜け止め具を挿入した状態を示す斜視図である。
【００１３】
この管継手用キャップ１１は、配管接続口５１の外周に大径円筒面５２を有する管継手５３における前記配管接続口５１を閉塞するために用いられるものであって、配管接続口５１の全体を覆うような形状のキャップ本体１２と、キャップ本体１２を配管接続口５１に固定するための抜け止め具１３とにより形成されている。
【００１４】
キャップ本体１２は、前記大径円筒面５２を挿入可能な内径を有する有底円筒状に形成されており、このキャップ本体１２の内周には、前記大径円筒面５２の外周に密接する２本のリング状パッキン１４が設けられている。さらに、キャップ本体１２の開口側で、前記大径円筒面５２の基端部５２ａに対応する位置のキャップ本体周壁には、キャップ本体軸線と直交する方向の２本のスリット１５がキャップ本体中心を挟んで対向する位置に平行に設けられている。また、このスリット１５が設けられていないキャップ本体１２の外面部分には、平面部１６が設けられており、キャップ本体１２を寝かせておいたときの転動を防止するようにしている。さらに、キャップ本体１２の基部側（反開口側）には、管継手５３からキャップ本体１２を抜き取る際の指掛け部となる周溝１７が設けられている。
【００１５】
前記抜け止め具１３は、前記２本のスリット１５にそれぞれ挿入される一対の係合片１８を有する略コ字状（フォーク状）の板材であって、板厚は前記スリット１５の溝幅より僅かに小さく、係合片１８の長さはスリット１５の長さに対応した長さに形成されている。両係合片１８同士の間隔は、前記大径円筒面５２の基端部５２ａに接する小径部分５１ａの外径より僅かに大きく形成されており、この係合片１８を前記スリット１５にそれぞれ挿入したときに、前記大径円筒面５２の基端部５２ａに係合片１８が係合し、配管接続口５１からのキャップ本体１２の抜けを防止するように形成されている。
【００１６】
このように形成した管継手用キャップ１１は、一時的に閉塞する必要がある配管接続口５１にキャップ本体１２を被せた後、キャップ本体１２のスリット１５に抜け止め具１３の係合片１８を挿入するだけで、前記リング状パッキン１４が大径円筒面５２の外周に密接して配管接続口５１を閉塞した状態に保持することができる。そして、抜け止め具１３をスリット１５から引き抜き、周溝１７を利用してキャップ本体１２を引っ張るだけで配管接続口５１からキャップ本体１２を取り外すことができる。
【００１７】
すなわち、配管接続口５１の密封や開放の操作を、工具を用いることなく極めて容易に行うことができるので、前述のような配管ユニットの水漏れ検査を行うときの配管接続口５１の閉塞を簡単かつ確実に行うことができる。さらに、この管継手用キャップ１１は、キャップ本体１２を硬質合成樹脂で形成し、抜け止め具１３を金属で形成することにより、これらの製造も容易であり、ねじ切り等の複雑な加工も必要ないため、製造コストも安価である。
【００１８】
図７は、本発明の管継手用キャップの他の形態例を示す一部断面正面図である。なお、前記形態例に示した管継手用キャップと同一の構成要素には同一符号を付して詳細な説明は省略する。
【００１９】
本形態例に示す管継手用キャップは、配管接続口５１の大径円筒面５２を挿入可能な内径を有する有底円筒状のキャップ本体２２の底面から配管接続口５１内に挿入される封止突起２３を突出させるとともに、この封止突起２３の外周に配管接続口内面に密接するリング状パッキン２４を装着したものであって、このキャップ本体２２を配管接続口５１に取り付けると、封止突起２３が配管接続口５１の内部に挿入され、リング状パッキン２４が配管接続口内面に密接して閉塞状態となる。
【００２０】
配管接続口５１へのキャップ本体２２の固定は、前記形態例と同様に、キャップ本体２２に形成したスリット１５と、このスリット１５に挿入される係合片１８を備えた抜け止め具１３とで行うことができる。
【００２１】
このように、リング状パッキン２４を外周に装着した封止突起２３を配管接続口５１の内部に挿入して密封することにより、配管接続口の外周に設けられている大径部が平滑な円筒面ではなく、例えば雄ねじを有する場合でも、配管接続口５１を簡単に閉塞することができる。また、ユニオンナットを使用した管継手の開口を閉塞するときにも使用可能となる。
【００２２】
【発明の効果】
以上説明したように、本発明の管継手用キャップによれば、パイプを挿入するだけで接続が完了する管継手の配管接続口も簡単な操作で確実に閉塞することができ、その取り外しも容易に行うことができる。したがって、本発明の管継手用キャップは、水漏れ試験等で配管接続口を一時的に閉塞する必要があるときに好適に使用することができる。
【図面の簡単な説明】
【図１】本発明の管継手用キャップを管継手に装着した一形態例を示す一部断面正面図である。
【図２】同じく断面平面図である。
【図３】管継手用キャップにおけるキャップ本体及び抜け止め具と管継手との関係を示す側面図である。
【図４】抜け止め具を挿入する前の状態を示す一部断面斜視図である。
【図５】抜け止め具を挿入した状態を示す一部断面斜視図である。
【図６】抜け止め具を挿入した状態を示す斜視図である。
【図７】本発明の管継手用キャップの他の形態例を示す一部断面正面図である。
【符号の説明】
１１…管継手用キャップ、１２…キャップ本体、１３…抜け止め具、１４…リング状パッキン、１５…スリット、１６…平面部、１７…周溝、１８…係合片、２２…キャップ本体、２３…封止突起、２４…リング状パッキン、５１…配管接続口、５２…大径円筒面、５３…管継手
【図１】
2004211872.tif 000003
【図２】
2004211872.tif 000004
【図３】
2004211872.tif 000005
【図４】
2004211872.tif 000006
【図５】
2004211872.tif 000007
【図６】
2004211872.tif 000008
【図７】
2004211872.tif 000009